(57)【要約】【課題】  故障により、新しく交換した乗場制御装置の不揮発性メモリへ、他の同一の乗場制御装置からデータを送信して、故障時の復旧作業をより簡便化するエレベータ制御システムを得る。【解決手段】  故障により新しく交換された乗場制御装置８ｂの不揮発性メモリ１３ｂの書換えの必要が生じたとき、エレベータ制御装置１の切換装置５によりデータ書換モードが設定されると、エレベータ制御装置１から伝送路６ａが切放され、故障により新しく交換された乗場制御装置８ｂに、乗場制御装置８ａの不揮発性メモリ１３ａの内容を子局データ伝送制御装置９ａにより、データ伝送路６ａを介して送信し、乗場制御装置８ｂは、子局データ伝送制御装置９ｂにより、乗場制御装置８ａから送信された不揮発性メモリ１３ａの内容により自装置の不揮発性メモリ１３ｂを書換える。【選択図】図１
2006188344.tif 000002
【特許請求の範囲】
【請求項１】
エレベータホールに設置され、それぞれ不揮発性メモリに記憶されたデータを用いて乗
場釦及び乗場インジケータを制御する複数の乗場制御装置と、エレベータの運転を制御す
ると共に、上記乗場制御装置にデータ伝送路を介して接続され、上記乗場制御装置との間
でデータ伝送を行うエレベータ制御装置とにより構成されたエレベータ制御システムにお
いて、
上記エレベータ制御装置は、上記乗場制御装置に上記データ伝送路を介してデータ伝送を
行う親局データ伝送制御部と、上記乗場制御装置の不揮発性メモリのデータ書換モードを
設定する切換装置と、この切換装置の上記データ書換モードの設定に応じて上記親局デー
タ伝送制御部の送信側のデータ伝送路を切放す送受信ドライバとにより構成され、
上記乗場制御装置は、不揮発性メモリのデータ書換モードを設定する設定スイッチと、通
常は上記エレベータ制御装置の親局データ伝送制御部との間でデータ伝送すると共に、上
記設定スイッチにより上記データ書換モードが設定されたとき、上記親局データ伝送制御
部の送信側から切放されたデータ伝送路を介して、自装置の不揮発性メモリの内容を他の
乗場制御装置に送信する子局データ伝送制御部と、上記設定スイッチによるデータ書換モ
ードの設定に応じて、上記親局データ伝送制御部の送信側から切放されたデータ伝送路を
介して上記子局データ伝送制御部から上記他の乗場制御装置にデータ送信できるように上
記子局データ伝送制御部及び上記データ伝送路間の接続を切換える伝送路切換装置とによ
り構成され、
第一の乗場制御装置の故障により、この故障した第一の乗場制御装置が交換されたとき、
この交換された第一の乗場制御装置に、故障していない第二の乗場制御装置の不揮発性メ
モリの内容を上記第二の乗場制御装置の子局データ伝送制御装置により、上記親局データ
伝送制御部の送信側から切放されたデータ伝送路を介して送信し、上記第一の乗場制御装
置の子局データ伝送制御装置は、上記第二の乗場制御装置から送信された不揮発性メモリ
の内容により自装置の不揮発性メモリを書換えることを特徴とするエレベータ制御システ
ム。
【請求項２】
上記第二の乗場制御装置の伝送路切換装置は、上記エレベータ制御装置からの送信デー
タが一定期間受信されないとき、上記子局データ伝送制御部の指示により上記接続を切換
えることを特徴とする請求項１記載のエレベータ制御システム。
【請求項３】
上記第一の乗場制御装置は、上記エレベータ制御装置からの送信データが一定期間受信
されないときで、かつ上記設定スイッチにより上記データ書換モードが設定されていない
とき、上記第二の乗場制御装置から送信された不揮発性メモリの内容により自装置の不揮
発性メモリを書換えることを特徴とする請求項１または請求項２記載のエレベータ制御シ
ステム。
【請求項４】
データ伝送路を介してエレベータ制御装置との間でデータ伝送を行うと共に、それぞれ
不揮発性メモリに記憶されたデータを用いてエレベータホールの乗場釦及び乗場インジケ
ータを制御する複数の乗場制御装置の一つが故障により交換されるエレベータ制御システ
ムの乗場制御装置交換方法において、第一の乗場制御装置が故障により交換され、この交
換された第一の乗場制御装置に故障していない第二の乗場制御装置から上記第二の乗場制
御装置の不揮発性メモリの内容を送信し、上記第一の乗場制御装置は、上記送信された不
揮発性メモリの内容を用いて自装置の不揮発性メモリを書換えることを特徴とするエレベ
ータ制御システムの乗場制御装置交換方法。
【請求項５】
上記エレベータ制御装置側の手順として、切換装置により乗場制御装置の不揮発性メモ
リのデータ書換モードを設定する第一の手順、及びこの第一の手順によるデータ書換モー
ドの設定に応じて、上記乗場制御装置との間でデータ伝送する親局データ伝送制御部の送
信側のデータ伝送路を切放す第二の手順を含み、
上記第二の乗場制御装置側の手順として、設定スイッチにより、不揮発性メモリのデータ
書換モードを設置する第三の手順、及びこの第三の手順により上記データ書換モードが設
定され、かつ上記第二の手順による上記親局データ伝送制御部の送信側のデータ伝送路の
切放しにより上記エレベータ制御装置からの送信データが一定期間受信されないとき、子
局データ伝送制御部により、上記親局データ伝送制御部の送信側から切放されたデータ伝
送路を介して、自装置の不揮発性メモリの内容を故障により交換された第一の乗場制御装
置に送信する第四の手順を含み、
上記第一の乗場制御装置側の手順として、自装置に上記データ書換モードが設定されてい
ないこと、及び上記第二の手順による上記親局データ伝送制御部の送信側のデータ伝送路
の切放しにより上記エレベータ制御装置からの送信データが一定期間受信されないことを
確認する第五の手順、及びこの第五の手順による確認の後、上記第二の乗場制御装置から
送信された上記第二の乗場制御装置の不揮発性メモリの内容により自装置の不揮発性メモ
リを書換える第六の手順を含むことを特徴とする請求項４記載のエレベータ制御システム
の乗場制御装置交換方法。
【発明の詳細な説明】
【技術分野】
【０００１】
この発明は、故障した乗場制御装置の交換時に交換された乗場制御装置の不揮発性メモ
リに書き込みを行うエレベータ制御システム、及びその乗場制御装置交換方法に関するも
のである。
【背景技術】
【０００２】
従来、不揮発性メモリを有する乗場制御装置において、機器が故障して新しい乗場制御
装置と交換するような場合に問題となるのが、乗場制御装置の不揮発性メモリに記憶して
いたデータを、新しい乗場制御装置の不揮発性メモリへ書込むことである。乗場制御装置
において、不揮発性メモリへ記憶しているデータは、例えば、乗場インジケータに表示す
る表示文字が特殊な場合のフォントデータなどであり、そのエレベータ固有のデータであ
る場合が多い。
このような場合でも、エレベータを早急に復旧する必要があるため、従来では、乗場制
御装置の不揮発性メモリは、ＩＣソケットを用いるなどして取付けられており、故障した
場合は、故障した乗場制御装置から不揮発性メモリを取外して、新しい乗場制御装置へ取
付けることで対応するか、別にパソコンなどのデータ書込みツールを用いて、不揮発性メ
モリのデータを新しい乗場制御装置の不揮発性メモリへ書込む作業をしていた。
【０００３】
特許文献１には、仕様データＲＯＭを故障した基板から取外して、交換用の新しい基板
へ取付ける方法において、故障した基板のマイクロプロセッサーと交換用の基板のマイク
ロプロセッサーが異なっていても、故障した基板の仕様データＲＯＭ内のデータを新しい
マイクロプロセッサーに合せてデータ交換することにより、使用できるようにしたエレベ
ータ制御装置が、示されている。
【０００４】
【特許文献１】特開平１０−２４５１６５号公報（第３〜５頁、図１）
【発明の開示】
【発明が解決しようとする課題】
【０００５】
不揮発性メモリをＩＣソケットにより取付け、故障した場合は、故障した乗場制御装置
から不揮発性メモリを取外して、新しい乗場制御装置へ取付ける方法では、乗場制御装置
にＩＣソケットを設けたり、不揮発性メモリもＩＣソケットで取付けられる形状のものし
か使用できないため、乗場制御装置の小型化や薄型化を図る上で問題となっていた。
また、不揮発性メモリ自体が壊れてしまっている場合は、不揮発性メモリ自体を新たに
工場へ手配することにあり、早急なエレベータ復旧ができないことがあった。
また、データ書込みツールを用いて、不揮発性メモリのデータを新しい乗場制御装置の
不揮発性メモリへ書込む方法では、書替え用のツールを準備したり、煩雑な書込み作業を
行わなければならないなどの問題があった。
【０００６】
さらに、特許文献１に記載された方式では、故障した基板の仕様データＲＯＭを取外し
て使用することから、仕様データＲＯＭ自体が壊れてしまっている場合には、対応しきれ
ないことになる。
【０００７】
この発明は、上述のような課題を解決するためになされたものであり、故障により、新
しく交換した乗場制御装置の不揮発性メモリへ、他の同一の乗場制御装置からデータを送
信して、故障時の復旧作業をより簡便化すると共に、不揮発性メモリ自体を交換する必要
をなくしたエレベータ制御システム、及びその乗場制御装置交換方法を得ることを目的に
している。
【課題を解決するための手段】
【０００８】
この発明に係わるエレベータ制御システムにおいては、エレベータホールに設置され、
それぞれ不揮発性メモリに記憶されたデータを用いて乗場釦及び乗場インジケータを制御
する複数の乗場制御装置と、エレベータの運転を制御すると共に、乗場制御装置にデータ
伝送路を介して接続され、乗場制御装置との間でデータ伝送を行うエレベータ制御装置と
により構成されたエレベータ制御システムにおいて、
エレベータ制御装置は、乗場制御装置にデータ伝送路を介してデータ伝送を行う親局デー
タ伝送制御部と、乗場制御装置の不揮発性メモリのデータ書換モードを設定する切換装置
と、この切換装置のデータ書換モードの設定に応じて親局データ伝送制御部の送信側のデ
ータ伝送路を切放す送受信ドライバとにより構成され、
乗場制御装置は、不揮発性メモリのデータ書換モードを設定する設定スイッチと、通常は
エレベータ制御装置の親局データ伝送制御部との間でデータ伝送すると共に、設定スイッ
チによりデータ書換モードが設定されたとき、親局データ伝送制御部の送信側から切放さ
れたデータ伝送路を介して、自装置の不揮発性メモリの内容を他の乗場制御装置に送信す
る子局データ伝送制御部と、設定スイッチによるデータ書換モードの設定に応じて、親局
データ伝送制御部の送信側から切放されたデータ伝送路を介して子局データ伝送制御部か
ら他の乗場制御装置にデータ送信できるように子局データ伝送制御部及びデータ伝送路間
の接続を切換える伝送路切換装置とにより構成され、
第一の乗場制御装置の故障により、この故障した第一の乗場制御装置が交換されたとき、
この交換された第一の乗場制御装置に、故障していない第二の乗場制御装置の不揮発性メ
モリの内容を第二の乗場制御装置の子局データ伝送制御装置により、親局データ伝送制御
部の送信側から切放されたデータ伝送路を介して送信し、第一の乗場制御装置の子局デー
タ伝送制御装置は、第二の乗場制御装置から送信された不揮発性メモリの内容により自装
置の不揮発性メモリを書換えるものである。
【発明の効果】
【０００９】
この発明は、以上説明したように、エレベータホールに設置され、それぞれ不揮発性メ
モリに記憶されたデータを用いて乗場釦及び乗場インジケータを制御する複数の乗場制御
装置と、エレベータの運転を制御すると共に、乗場制御装置にデータ伝送路を介して接続
され、乗場制御装置との間でデータ伝送を行うエレベータ制御装置とにより構成されたエ
レベータ制御システムにおいて、
エレベータ制御装置は、乗場制御装置にデータ伝送路を介してデータ伝送を行う親局デー
タ伝送制御部と、乗場制御装置の不揮発性メモリのデータ書換モードを設定する切換装置
と、この切換装置のデータ書換モードの設定に応じて親局データ伝送制御部の送信側のデ
ータ伝送路を切放す送受信ドライバとにより構成され、
乗場制御装置は、不揮発性メモリのデータ書換モードを設定する設定スイッチと、通常は
エレベータ制御装置の親局データ伝送制御部との間でデータ伝送すると共に、設定スイッ
チによりデータ書換モードが設定されたとき、親局データ伝送制御部の送信側から切放さ
れたデータ伝送路を介して、自装置の不揮発性メモリの内容を他の乗場制御装置に送信す
る子局データ伝送制御部と、設定スイッチによるデータ書換モードの設定に応じて、親局
データ伝送制御部の送信側から切放されたデータ伝送路を介して子局データ伝送制御部か
ら他の乗場制御装置にデータ送信できるように子局データ伝送制御部及びデータ伝送路間
の接続を切換える伝送路切換装置とにより構成され、
第一の乗場制御装置の故障により、この故障した第一の乗場制御装置が交換されたとき、
この交換された第一の乗場制御装置に、故障していない第二の乗場制御装置の不揮発性メ
モリの内容を第二の乗場制御装置の子局データ伝送制御装置により、親局データ伝送制御
部の送信側から切放されたデータ伝送路を介して送信し、第一の乗場制御装置の子局デー
タ伝送制御装置は、第二の乗場制御装置から送信された不揮発性メモリの内容により自装
置の不揮発性メモリを書換えるので、乗場制御装置の故障時に、自動的に新しく交換され
た乗場制御装置の不揮発性メモリへ、他の乗場制御装置からデータを送信することができ
、故障時の復旧作業をより簡便化できると共に、不揮発性メモリ自体を交換する必要がな
いため、面実装で半田付けできるパッケージ品を使用でき、乗場制御装置の小型化、薄型
化が可能となる。
【発明を実施するための最良の形態】
【００１０】
実施の形態１．
本発明の実施の形態１について図を用いて説明する。
図１は、この発明の実施の形態１によるエレベータ制御システムの全体を示す構成図で
ある。
図１において、エレベータ制御装置１は、エレベータの全体動作を制御するエレベータ
制御部２と、乗場制御装置８ａ、８ｂとの間で、データ伝送を行う親局データ伝送制御部
３と、データ伝送路６ａ、６ｂに接続され、親局データ伝送制御部３からのデータの送受
信を行う送／受信ドライバー４と、乗場制御装置のデータ書換えモードを設定するための
切換装置５とから構成される。
エレベータ制御装置１は、エレベータホールに設置された乗場制御装置８ａ、８ｂとの
間で、データ伝送路６ａ、６ｂを使って、エレベータの運転状態に合せて各種制御信号を
データ伝送する。
送／受信ドライバー４は、親局データ伝送制御部３からの信号により、送信ドライバー
をデータ伝送路６ａから切放す機能を設けており、切換装置５により乗場制御装置のデー
タ書換えモードを設定する（第一の手順）と、エレベータ制御部２を介して親局データ伝
送制御部３へデータ書換えモード指令が伝送される。
親局データ伝送制御部３は、このデータ書換えモード指令に基づき、エレベータの運転
状態に合せて各種制御信号をデータ伝送する動作を停止すると共に、送信ドライバーをデ
ータ伝送路６ａから切放す（第二の手順）。
【００１１】
乗場制御装置８ａ、８ｂは、Ｎ階、Ｍ階の各階のエレベータホールに設置されてインジ
ケータや乗場釦などの機器を制御する。実際にはエレベータ階床分、同様な乗場制御装置
が設置されている。
これら乗場制御装置８ａ、８ｂは、エレベータ制御装置１との間でデータ伝送を行った
り、インジケータ表示器１４ａ、１４ｂ、乗場釦１５ａ、１５ｂ、乗場キースイッチ１６
ａ、１６ｂなどの動作を制御する子局データ伝送制御部９ａ、９ｂと、送／受信ドライバ
ー１２ａ、１２ｂと、子局の階床設定や各種動作モードを設定するための設定スイッチ１
１ａ、１１ｂと、インジケータ表示器１４ａ、１４ｂ用の文字フォントデータなどを記憶
するための書換え可能な不揮発性メモリ１３ａ、１３ｂと、データ伝送路６ａ、６ｂとこ
のデータ伝送路６ａ、６ｂにデータを送受信する送／受信ドライバー１２ａ、１２ｂとの
接続を切換える伝送路切換装置１７ａ、１７ｂから構成されている。
【００１２】
乗場制御装置８ａ、８ｂにおいて、子局データ伝送制御部９ａ、９ｂは、設定スイッチ
１１ａ、１１ｂの設定内容を周期的にチェックする。またエレベータ制御装置１から送信
してくるデータがあるかどうかを周期的にチェックする。
子局データ伝送制御部９ａ、９ｂは、エレベータ制御装置１から送信してくるデータが
一定期間なくなると、設定スイッチ１１ａ、１１ｂによる設定内容がデータ書換えモード
になっているかどうかを確認し、データ書換えモード設定になっていれば、制御動作を変
更して不揮発性メモリ内データを他の乗場制御装置へ送信する処理を実行する。このとき
データ書換えモード設定になっていない乗場制御装置８ａ、８ｂの子局データ伝送制御部
９ａ、９ｂは、不揮発性メモリ内データを受信して、不揮発性メモリのデータを受信デー
タに書換える処理を実行する。
【００１３】
次に、この発明による乗場制御装置の不揮発性メモリ内データの書換え方法について、
図１〜図３を参照して説明する。
図２は、この発明の実施の形態１による乗場制御装置のデータ書換えモード時のエレベ
ータ制御装置の動作処理を示すフローチャートである。
図３は、この発明の実施の形態１によるデータ書換えモード時の乗場制御装置の動作処
理を示すフローチャートである。
例えば、図１において、Ｍ階の乗場制御装置が故障したため、新しい乗場制御装置８ｂ
（第一の乗場制御装置）をＭ階に取付け、Ｎ階の乗場制御装置８ａ（第二の乗場制御装置
）から新しい乗場制御装置８ｂの不揮発性メモリのデータ書換えを行う場合を考える。当
然、新しい乗場制御装置８ｂの不揮発性メモリ１３ｂ内には、まだ正しくデータが記憶さ
れていない状態である。
まず、作業者は、Ｍ階の故障した乗場制御装置を新しい乗場制御装置８ｂに交換する。
次に、エレベータ制御装置１を切換装置５により、乗場制御装置のデータ書換えモードに
設定すると、図２のフローチャートに従って乗場制御装置への送信処理を停止する。
【００１４】
次に、図２に基づき、エレベータ制御装置の動作処理を説明する。
エレベータ制御部２は、切換装置５からのモード切換え入力をチェックし（ステップＳ
１）、乗場制御装置のデータ書換えモードに切換えられた場合には、親局データ伝送制御
部３へ、ローカルデータ書換要求指令オン（データ書換モード指令）を出力する（ステッ
プＳ２）。ステップＳ１で、乗場制御装置のデータ書換えモードではない通常モードに切
換えられた場合には、親局データ伝送制御部３へ、ローカルデータ書換要求指令オフ（デ
ータ書換モード指令解除）を出力する（ステップＳ３）。
親局データ伝送制御部３では、ローカルデータ書換要求指令オンかどうかを判定し（ス
テップＳ４）、オンの場合には、親局データ伝送制御部３から乗場制御装置への送信処理
を停止する（ステップＳ５）。ステップＳ４で、オンでない場合には、乗場制御装置への
通常の送信処理を行う（ステップＳ６）。
【００１５】
次に、Ｎ階の乗場制御装置８ａの設定スイッチ１１ａをデータ書換えモードの設定に変
更する（第三の手順）。
すると、乗場制御装置８ａの子局データ伝送制御部９ａは、図３にしたがって、処理を
行う。
親局からの送信データの有無を確認し（ステップＳ１１）、ない場合には、データ書換
えモードになっているかどうかを判断する（ステップＳ１２）。データ書換えモードにな
っている場合には、伝送路切換装置１７ａに対して切換え信号を出力し、データ伝送路を
切換えて（ステップＳ１３）、Ｎ階からＭ階の乗場制御装置８ｂへデータ伝送路６ａを経
由してデータを送信できるようにする。
データ伝送路を切換えた後、子局データ伝送制御部９ａは、不揮発性メモリ１３ａから
読み出したデータを、予め決められたデータ送信手順に従って、データ伝送路６ａへ出力
する（ステップＳ１４）（第四の手順）。子局データ伝送制御部９ａは、データが正しく
送信され終ったら（ステップＳ１５）、インジケータ表示器１４ａに正常に終了したこと
を表示させる（ステップＳ１６）。
【００１６】
もし正常に終了できていない場合（ステップＳ１５）は、ステップＳ１４により、デー
タ伝送路６ａへデータを再出力する。これを一定時間内繰返し行っても（ステップＳ１７
）、データを正常に送信終了できない場合、子局データ伝送制御部９ａは、インジケータ
表示器１４ａに正常に終了しなかったことを表示させる（ステップＳ１８）。この場合の
データ伝送が正常終了したか失敗したかを知らせる手段としては、インジケータ表示器１
４ａ以外にも、例えば乗場釦の応答ランプを点灯／点滅表示したり、発音ブザーなどを鳴
動させたりすることでも同様に作業者へ報知することが可能である。
また、データ送信が正常終了したかどうかを判定する方法としては、子局データ伝送制
御部９ａで、送信したデータを送／受信ドライバー１２ａの受信ドライバーを介して受信
することにより、送信データがデータ伝送路６ａへ正しく出力されたかどうかを判定でき
る。
さらにまた、データ送信すると、それに対してＭ階の乗場制御装置８ｂからアンサーバ
ック信号をデータ伝送路、伝送路切換装置１７ａ、送／受信ドライバー１２ａの受信ドラ
イバーを介して受信することにより、確実にＭ階の乗場制御装置８ｂがデータを受信でき
たかどうかを判定することも可能である。
【００１７】
データ書換えが完了したら（ステップＳ１９）、作業者は、Ｎ階の乗場制御装置８ａの
設定スイッチ１１ａをデータ書換えモードの設定から、元のエレベータ運行時の設定へ戻
す（ステップＳ１９）。Ｎ階の子局データ伝送制御９ａは、伝送路切換装置１７ａに対し
て切換え信号を出力し、データ伝送路を切換えて乗場制御装置間での接続を切断し、元の
エレベータ制御装置１との接続のみに切換える（ステップＳ２０）。
最後に、作業者がエレベータ制御装置１の切換装置５により、乗場制御装置のデータ書
換えモードを解除すると、通常動作のエレベータの運転状態に合せて、各種制御信号をデ
ータ伝送する（ステップＳ２２）ようになり、一連の不揮発性メモリ内データの書換えが
完了する。
【００１８】
なお、ステップＳ１１で、親局からの送信データがない場合であって、ステップＳ１２
で、データ書換えモードになっていない場合（第五の手順）は、受信側の乗場制御装置の
行う動作であり、不揮発性メモリ内データの受信処理を行い（ステップＳ２１）、子局デ
ータ伝送制御部により、自装置の不揮発性メモリを受信したデータでもって書換える（第
六の手順）。
【００１９】
実施の形態１によれば、以上のように構成することにより、乗場制御装置を交換する場
合に不揮発性メモリ自体を取外すことが不要で、かつ自動的に新しく乗場制御装置の不揮
発性メモリへ他の同一の乗場制御装置からデータを送信することができる。
このため、故障時の復旧作業をより簡便化できると共に、不揮発性メモリ自体を交換す
る必要がないため、面実装で半田付けできるパッケージ品を使用でき、乗場制御装置の小
型化、薄型化が可能となる。
【図面の簡単な説明】
【００２０】
【図１】この発明の実施の形態１によるエレベータ制御システムの全体を示す構成図である。
【図２】この発明の実施の形態１による乗場制御装置のデータ書換えモード時のエレベータ制御装置の動作処理を示すフローチャートである。
【図３】この発明の実施の形態１によるデータ書換えモード時の乗場制御装置の動作処理を示すフローチャートである。
【符号の説明】
【００２１】
１  エレベータ制御装置
２  エレベータ制御部
３  親局データ伝送制御部
４  送／受信ドライバ
５  切換装置
６ａ，６ｂ  データ伝送路
８ａ，８ｂ  乗場制御装置
９ａ，９ｂ  子局データ伝送制御部
１１ａ，１１ｂ  設定スイッチ
１２ａ，１２ｂ  送／受信ドライバ
１３ａ，１３ｂ  不揮発性メモリ
１４ａ，１４ｂ  インジケータ表示器
１５ａ，１５ｂ  乗場釦
１６ａ，１６ｂ  乗場キースイッチ
１７ａ，１７ｂ  伝送路切換装置
【図１】
2006188344.tif 000003
【図２】
2006188344.tif 000004
【図３】
2006188344.tif 000005